(57)【要約】【課題】組み合わせて用いられる制御部を設計する際の負荷を軽減できる機構モジュールを提供する。【解決手段】機構モジュール２１は、針または表示車が取り付けられる回転軸、回転軸を駆動するモータ４０Ａ，４０Ｂ，４０Ｃ、およびモータ４０Ａ，４０Ｂ，４０Ｃの回転駆動力を回転軸に減速して伝達する輪列３０Ａ，３０Ｂ，３０Ｃを有する時針駆動機構８１、分針駆動機構８２および秒針駆動機構８３と、時針駆動機構８１、分針駆動機構８２および秒針駆動機構８３を支持する地板５１および輪列受と、を備える。時針駆動機構８１、分針駆動機構８２および秒針駆動機構８３は、輪列３０Ａ，３０Ｂ，３０Ｃの減速比が最も小さい第１指針駆動機構と、輪列３０Ａ，３０Ｂ，３０Ｃの減速比が最も大きい第２指針駆動機構と、を有する。第１指針駆動機構の輪列の減速比を１／Ｘとし、第２指針駆動機構の輪列の減速比を１／Ｙとしたとき、ＹはＸの２／３以上である。【選択図】図３
2020016496.tif 000002
【特許請求の範囲】
【請求項１】
針または表示車が取り付けられる回転軸、前記回転軸を駆動するモータ、および前記モータの回転駆動力を前記回転軸に減速して伝達する輪列を有する少なくとも３つの指針駆動機構と、
前記少なくとも３つの指針駆動機構を支持する支持部材と、
を備え、
前記少なくとも３つの指針駆動機構は、
前記輪列の減速比が最も小さい第１指針駆動機構と、
前記輪列の減速比が最も大きい第２指針駆動機構と、
を有し、
前記第１指針駆動機構の前記輪列の減速比を１／Ｘとし、前記第２指針駆動機構の前記輪列の減速比を１／Ｙとしたとき、ＹはＸの２／３以上である、
ことを特徴とする機構モジュール。
【請求項２】
前記第２指針駆動機構の前記輪列の減速比は、１／９０以下である、
ことを特徴とする請求項１に記載の機構モジュール。
【請求項３】
前記第１指針駆動機構の前記輪列の減速比は、１／１８０以上である、
ことを特徴とする請求項１または請求項２に記載の機構モジュール。
【請求項４】
前記少なくとも３つの指針駆動機構のうち全ての指針駆動機構における前記輪列の減速比は、３０の倍数の逆数である、
ことを特徴とする請求項１から請求項３のいずれか１項に記載の機構モジュール。
【請求項５】
前記少なくとも３つの指針駆動機構のうち全ての指針駆動機構における前記輪列の減速比は、同じである、
ことを特徴とする請求項１から請求項４のいずれか１項に記載の機構モジュール。
【請求項６】
前記少なくとも３つの指針駆動機構のうち全ての指針駆動機構における前記回転軸は、互いに同軸に配置されている、
ことを特徴とする請求項１から請求項５のいずれか１項に記載の機構モジュール。
【請求項７】
請求項１から請求項６のいずれか１項に記載の機構モジュールと、
前記モータを制御する回路ブロックと、
を備えることを特徴とする時計用ムーブメント。
【請求項８】
請求項７に記載の時計用ムーブメントと、
前記回転軸に取り付けられた前記針および前記表示車のうち少なくともいずれか一方と、
を備えることを特徴とする時計。
【請求項９】
前記針および前記表示車のうち少なくともいずれか一方は、現在時刻以外の情報を指示する、
ことを特徴とする請求項８に記載の時計。
【発明の詳細な説明】
【技術分野】
【０００１】
本発明は、機構モジュール、時計用ムーブメントおよび時計に関するものである。
【背景技術】
【０００２】
近年、アナログ式の電子時計のムーブメントとして、モータおよび輪列を備え指針を駆動する機構モジュールと、モータを制御するＩＣ等の制御部を備えた回路ブロックと、が別部材で設けられたものがある。機構モジュールと回路ブロックとを別部材にし、指針の駆動の機能を機構モジュールに集約することで、機構モジュールの汎用性を高めるとともに、時計の多機能化に伴う機種毎のムーブメントの設計変更を回路ブロックの設計変更のみにより実現できる。
【０００３】
ところで、従来、時針、分針および秒針の３つの針を３つのモータによりそれぞれ独立して駆動する時計がある（例えば、特許文献１参照）。特許文献１には、モータＡ、モータＢ及びモータＣと、このモータＡ，Ｂ，Ｃによって駆動される複数の指針と、モータＡ，Ｂ，Ｃの駆動を指針に伝達する輪列と、を備える時計が開示されている。この種の時計においては、モータのロータが１ステップ回転する際に針が回転する角度が複数の針毎に異なっている。例えば、秒針はロータが１８０°回転すると６°回転し、分針はロータが１８０°回転すると１°回転し、時針はロータが１８０°回転すると１°回転する。すなわち、指針毎に設けられた輪列の減速比が相違している。
【０００４】
しかしながら、モータの駆動力が一定の場合、輪列の減速比が相違していると、針のトルクも相違する。例えば、輪列の減速比が大きくなると、針のトルクは小さくなる。このため、針を確実に回転させる余裕を確保するためには、ロータを回転させるためにモータに印加する駆動パルスを、輪列の減速比に応じて調整する必要が生じる場合がある。これにより、回路ブロックから機構モジュールのモータに出力される駆動パルスを、機構モジュールのモータ毎に適宜設定しなければならない。よって、回路ブロックを設計する際の負荷を軽減するという点で改善の余地がある。
【０００５】
また、例えば上述した秒針に繋がる輪列のように減速比が比較的大きい場合には、針のトルクが小さく、使用可能な針が細いものに限定される傾向がある。このため、駆動できる針の種類が限定された機構モジュールとなる。よって、秒針に代えて他の針や表示車を取り付けることができない汎用性の低い機構モジュールとなる。
【０００６】
さらに、上述した秒針のように１ステップの運針角度が比較的大きい場合には、秒針に代えて他の針を取り付けた場合に、針によって指示できる情報の精度が低下する。したがって、搭載先の時計において表示できる情報の制限が大きい、汎用性の低い機構モジュールとなる。
【０００７】
特許文献１に記載の発明は、異なる輪列のいずれをも選択的に支持できるように地板および輪列受を設けることにより、１つの基本モジュールで、各種の機能を選択的に組み合わせた色々な時計を提供できるとしている。しかしながら、特許文献１に記載の発明では、取り付ける針に応じて輪列を選択して組み付ける必要があるので、予め輪列が組み付けられた機構モジュールの汎用性を向上させることはできない。
【先行技術文献】
【特許文献】
【０００８】
【特許文献１】特許第３２１６７２３号公報
【発明の概要】
【発明が解決しようとする課題】
【０００９】
そこで本発明は、組み合わせて用いられる制御部を設計する際の負荷を軽減できる機構モジュール、並びにこの機構モジュールを備えた時計用ムーブメントおよび時計を提供するものである。
【課題を解決するための手段】
【００１０】
本発明の機構モジュールは、針または表示車が取り付けられる回転軸、前記回転軸を駆動するモータ、および前記モータの回転駆動力を前記回転軸に減速して伝達する輪列を有する少なくとも３つの指針駆動機構と、前記少なくとも３つの指針駆動機構を支持する支持部材と、を備え、前記少なくとも３つの指針駆動機構は、前記輪列の減速比が最も小さい第１指針駆動機構と、前記輪列の減速比が最も大きい第２指針駆動機構と、を有し、前記第１指針駆動機構の前記輪列の減速比を１／Ｘとし、前記第２指針駆動機構の前記輪列の減速比を１／Ｙとしたとき、ＹはＸの２／３以上である、ことを特徴とする。
【００１１】
本発明によれば、全ての指針駆動機構におけるモータを同じ駆動パルスによって駆動することができる。これにより、機構モジュールに組み合わせて用いられる制御部を設計する際の負荷を軽減できる。
【００１２】
上記の機構モジュールにおいて、前記第２指針駆動機構の前記輪列の減速比は、１／９０以下である、ことが望ましい。
【００１３】
本発明によれば、全ての指針駆動機構において、モータが１ステップで１８０°回転する際、針または表示車の回転角度が２°以下になる。これにより、従来技術の指針駆動機構のようにモータが１ステップ回転すると秒針が６°回転する場合と比較して、モータが１ステップ回転した際の針または表示車の回転角度を小さくすることができる。このため、いずれの指針駆動機構の回転軸に取り付けられる針または表示車によっても、従来技術の秒針よりも精度よく、様々な情報を指示させることが可能となる。
また、従来技術の指針駆動機構のようにモータが１ステップ回転すると秒針が６°回転する場合と比較して、回転軸のトルクが大きくなるので、いずれの指針駆動機構の回転軸にも、従来技術の秒針よりも慣性モーメントが大きい針または表示車を取り付けることができる。したがって、汎用性の高い機構モジュールを提供できる。
【００１４】
上記の機構モジュールにおいて、前記第１指針駆動機構の前記輪列の減速比は、１／１８０以上である、ことが望ましい。
【００１５】
本発明によれば、全ての指針駆動機構において、モータが１ステップで１８０°回転する際、回転軸に取り付けられる針または表示車の回転角度が１°以上となる。これにより、針または表示車を所定の角度回転させる際に要するステップ数が増大することを抑制できる。したがって、電池の消耗を抑制できる機構モジュールを提供できる。
【００１６】
上記の機構モジュールにおいて、前記少なくとも３つの指針駆動機構のうち全ての指針駆動機構における前記輪列の減速比は、３０の倍数の逆数である、ことが望ましい。
【００１７】
本発明によれば、全ての指針駆動機構において、モータが１ステップで１８０°回転する際、針または表示車の回転角度が（６の約数）°となる。これにより、全ての指針駆動機構において、回転軸に取り付けられる針または表示車は、時、分および秒の最小単位をずれることなく精度よく指示できる。したがって、時針、分針および秒針を同時に取り付けることができ、かつ時針、分針および秒針に代えて他の針または表示車を取り付けることができる汎用性の高い機構モジュールを提供できる。
【００１８】
上記の機構モジュールにおいて、前記少なくとも３つの指針駆動機構のうち全ての指針駆動機構における前記輪列の減速比は、同じである、ことが望ましい。
【００１９】
本発明によれば、少なくとも３つの指針駆動機構のうちいずれの指針駆動機構の回転軸に取り付けられる針または表示車も、モータが１ステップ回転する際、同じ角度回転する。このため、いずれの回転軸に取り付けられる針または表示車も同様に動作させることが可能となるので、輪列の減速比が相違する場合と比較して、回転軸と針または表示車との組み合わせのバリエーションを増やすことができる。したがって、搭載先の時計のデザイン性を向上させることが可能な機構モジュールを提供できる。
【００２０】
上記の機構モジュールにおいて、前記少なくとも３つの指針駆動機構のうち全ての指針駆動機構における前記回転軸は、互いに同軸に配置されている、ことが望ましい。
【００２１】
本発明によれば、時針、分針および秒針が同軸に配置された時計に用いることができる機構モジュールであって、かつ時針、分針および秒針に代えて他の針または表示車を取り付けることができる汎用性の高い機構モジュールとすることができる。
【００２２】
本発明の時計用ムーブメントは、上記の機構モジュールと、前記モータを制御する回路ブロックと、を備えることを特徴とする。
本発明の時計は、上記の時計用ムーブメントと、前記回転軸に取り付けられた前記針および前記表示車のうち少なくともいずれか一方と、を備えることを特徴とする。
【００２３】
本発明によれば、回路ブロックを設計する際の負荷が軽減され、低コスト化された時計用ムーブメントおよび時計を提供できる。
【００２４】
上記の時計において、前記針および前記表示車のうち少なくともいずれか一方は、現在時刻以外の情報を指示する、ことが望ましい。
【００２５】
本発明によれば、時刻以外の情報を表示でき、かつ低コスト化された時計を提供できる。
【発明の効果】
【００２６】
本発明によれば、組み合わせて用いられる制御部を設計する際の負荷を軽減できる機構モジュール、並びにこの機構モジュールを備えた時計用ムーブメントおよび時計を提供できる。
【図面の簡単な説明】
【００２７】
【図１】実施形態の時計の平面図である。
【図２】実施形態の時計の断面図である。
【図３】実施形態の機構モジュールの内部構成を表側から見た平面図である。
【図４】実施形態の機構モジュールの断面図である。
【図５】実施形態の機構モジュールの断面図である。
【図６】実施形態の機構モジュールの断面図である。
【図７】実施形態の第１変形例の時計を模式的に示す平面図である。
【図８】実施形態の第１変形例の時計を模式的に示す斜視図である。
【図９】実施形態の第２変形例の時計を模式的に示す平面図である。
【図１０】実施形態の第２変形例の時計を模式的に示す斜視図である。
【図１１】実施形態の第３変形例の時計を模式的に示す平面図である。
【図１２】実施形態の第４変形例の時計を模式的に示す平面図である。
【図１３】実施形態の第５変形例の時計を模式的に示す平面図である。
【図１４】実施形態の第６変形例の時計を模式的に示す平面図である。
【図１５】実施形態の第７変形例の時計を模式的に示す平面図である。
【図１６】実施形態の第８変形例の時計を模式的に示す平面図である。
【図１７】実施形態の第９変形例の時計を模式的に示す平面図である。
【図１８】実施形態の第１０変形例の時計を模式的に示す平面図である。
【図１９】実施形態の第１１変形例の時計を模式的に示す平面図である。
【図２０】実施形態の第１１変形例の時計を模式的に示す斜視図である。
【図２１】実施形態の第１２変形例の時計を模式的に示す平面図である。
【図２２】実施形態の第１３変形例の時計を模式的に示す平面図である。
【発明を実施するための形態】
【００２８】
以下、本発明の実施形態を図面に基づいて説明する。なお以下の説明では、同一または類似の機能を有する構成に同一の符号を付す。そして、それら構成の重複する説明は省略する場合がある。
【００２９】
［実施形態］
最初に実施形態の時計１、ムーブメント１０および機構モジュール２１について説明する。
【００３０】
（時計）
一般に、時計の駆動部分を含む機械体を「ムーブメント」と称する。このムーブメントに文字板、指針を取り付けて、時計ケースの中に入れて完成品にした状態を時計の「コンプリート」と称する。また、時計の基板を構成する地板に対する時計ケースのガラス側、すなわち、文字板側をムーブメントの「裏側」と称する。また、地板に対する時計ケースのケース裏蓋側、すなわち、文字板とは反対側をムーブメントの「表側」と称する。
【００３１】
図１は、実施形態の時計の平面図である。
図１に示すように、時計１のコンプリートは、ケース裏蓋（不図示）およびガラス３を含む時計ケース４の内部に、ムーブメント１０、文字板１１、時針１２、分針１３および秒針１４を備える。文字板１１、時針１２、分針１３および秒針１４は、ガラス３を通じて視認可能に配置されている。文字板１１は、円板状に形成されている。文字板１１におけるガラス３側に向く面を表示面と称する。文字板１１の表示面には、時針１２、分針１３および秒針１４の先端により指示される目盛り１５が、文字板１１の外周に沿って円周状に並んで設けられている。時針１２、分針１３および秒針１４は、棒状の針である。秒針１４は、時針１２および分針１３よりも慣性モーメントが大きい。
【００３２】
時計ケース４の側面のうち、２時に位置する部分、および４時に位置する部分のそれぞれにはボタン６が設けられている。ボタン６は、時針１２および分針１３が示す時刻を修正する時刻修正や、時計１が実行するモードの切り替え等に用いられる。
【００３３】
（ムーブメント）
図２は、実施形態の時計の断面図である。
図２に示すように、ムーブメント１０は、文字板１１とケース裏蓋（不図示）との間に配置されている。ムーブメント１０は、時針１２、分針１３および秒針１４が取り付けられる機構モジュール２１と、機構モジュール２１の表側に配置され機構モジュール２１を制御する回路ブロック２３と、機構モジュール２１および回路ブロック２３を保持するモジュール枠２５と、を備える。なお、以下の説明では、時針１２、分針１３および秒針１４の回転中心である回転軸線Ｏの延在方向を軸方向といい、軸方向に直交して回転軸線Ｏから放射状に延びる方向を径方向という。
【００３４】
（機構モジュール）
図３は、実施形態の機構モジュールの内部構成を表側から見た平面図である。図４から図６は、実施形態の機構モジュールの断面図である。
図３に示すように、機構モジュール２１は、時針駆動機構８１と、分針駆動機構８２と、秒針駆動機構８３と、を備える。また、図４から図６に示すように、機構モジュール２１は、時針駆動機構８１、分針駆動機構８２および秒針駆動機構８３を支持する地板５１および輪列受５２と、地板５１の裏側に配置され地板５１に固定された筒車押さえ５３と、地板５１と輪列受５２との間に配置された二番受５４と、を備える。
【００３５】
図３に示すように、地板５１は、機構モジュール２１の基板を構成している。地板５１は、例えば樹脂材料等により、軸方向を厚み方向とする板状に形成されている。
【００３６】
時針駆動機構８１は、時針１２（図２参照）を回転させる。時針駆動機構８１は、時針１２が取り付けられる第１回転軸８５（図２参照）と、第１回転軸８５を駆動する第１モータ４０Ａと、第１モータ４０Ａの回転駆動力を第１回転軸８５に減速して伝達する時輪列３０Ａと、を備える。
【００３７】
第１モータ４０Ａは、１ステップでロータ４５が１８０°回転するステッピングモータである。第１モータ４０Ａは、回転軸線Ｏに重ならない位置に設けられている。第１モータ４０Ａは、磁心４２および磁心４２に巻いたコイルワイヤ４３を含むコイルブロック４１と、コイルブロック４１の磁心４２の両端部分と接触するように配置されたステータ４４と、ステータ４４のロータ孔４４ａに配置されたロータ４５と、を有する。
【００３８】
コイルブロック４１は、磁心４２およびコイルワイヤ４３と、磁心４２の一端部に固定されたコイルリード基板４６と、を備える。
【００３９】
磁心４２は、軸方向および径方向に直交する方向に沿うように延在している。磁心４２は、その両端部においてネジ４８により地板５１に対して固定されている。コイルリード基板４６は、プリント基板である。コイルリード基板４６は、磁心４２の一端部の表側に配置され、ネジ４８により磁心４２とともに共締めされている。コイルリード基板４６は、磁心４２の一端部に対する固定部から、軸方向から見て地板５１の中央部に向かって延びている。コイルリード基板４６の表面には、一対の配線４７が形成されている。各配線４７における磁心４２側の一端部４７ａには、それぞれコイルワイヤ４３の端部が溶接される。
【００４０】
コイルリード基板４６の表側には、中継基板２４が配置されている。中継基板２４は、軸方向に厚みを有する部材である。中継基板２４は、表面から裏面に跨って延びる一対の中継配線２４ａを有する。一対の中継配線２４ａは、中継基板２４の裏面において第１モータ４０Ａの一対の配線４７に接触するとともに、中継基板２４の表面において回路ブロック２３（図２参照）の端子に接触する。これにより、中継基板２４は、コイルリード基板４６の一対の配線４７と、回路ブロック２３と、を電気的に接続している。
【００４１】
ステータ４４は、磁心４２よりも径方向内側に配置されている。ステータ４４は、一対のネジ４８により磁心４２とともに地板５１に共締めされている。
【００４２】
ロータ４５は、磁心４２の径方向内側に配置されている。ロータ４５は、地板５１と輪列受５２とにより回転可能に支持されている（図４参照）。
【００４３】
図３および図４に示すように、時輪列３０Ａは、第１時中間車３１と、第２時中間車３２と、筒車３３と、を有する。第１時中間車３１は、第１時中間歯車３１ａと第１時中間かな３１ｂとを有し、地板５１と輪列受５２とにより回転可能に支持されている。第１時中間歯車３１ａは、第１モータ４０Ａのロータ４５のかな４５ａに噛み合っている。第２時中間車３２は、第２時中間歯車３２ａと第２時中間かな３２ｂとを有し、地板５１と輪列受５２とにより回転可能に支持されている。第２時中間歯車３２ａは、第１時中間車３１の第１時中間かな３１ｂに噛み合っている。
【００４４】
筒車３３は、地板５１の裏側において中心パイプ５５に回転可能に外挿されている。中心パイプ５５は、地板５１に保持されている。中心パイプ５５は、回転軸線Ｏと同軸に延在し、地板５１から裏側へ突出している。つまり、筒車３３は、回転軸線Ｏと同軸に配置されている。筒車３３は、第２時中間車３２の第２時中間かな３２ｂに噛み合う筒歯車３３ａを有する。筒車３３は、筒車押さえ５３に裏側から押さえられている。筒車３３は、筒車押さえ５３と筒歯車３３ａとの間に配置された第１針座５６により、地板５１側に向かって付勢されている。筒車３３の裏側の端部は、筒車押さえ５３から裏側へ突出している。つまり、筒車３３は、第１回転軸８５である。筒車３３の裏側の端部には、時針１２が取り付けられる（図２参照）。
【００４５】
図３に示すように、分針駆動機構８２は、分針１３（図２参照）を回転させる。分針駆動機構８２は、分針１３が取り付けられる第２回転軸８６（図２参照）と、第２回転軸８６を駆動する第２モータ４０Ｂと、第２モータ４０Ｂの回転駆動力を第２回転軸８６に減速して伝達する分輪列３０Ｂと、を備える。
【００４６】
第２モータ４０Ｂは、第１モータ４０Ａと同じ構成を有する。第２モータ４０Ｂは、回転軸線Ｏ回りの周方向において第１モータ４０Ａに並んで配置されている。第２モータ４０Ｂは、第１モータ４０Ａに対し、表側から見て回転軸線Ｏ回りの反時計方向に略９０°ずれた位置に配置されている。
【００４７】
図５は、実施形態の機構モジュールの断面図である。
図３および図５に示すように、分輪列３０Ｂは、第１二番中間車３４と、第２二番中間車３５と、二番車３６と、を有する。第１二番中間車３４は、第１二番中間歯車３４ａと第１二番中間かな３４ｂとを有し、地板５１と輪列受５２とにより回転可能に支持されている。第１二番中間歯車３４ａは、第２モータ４０Ｂのロータ４５のかな４５ａに噛み合っている。第２二番中間車３５は、第２二番中間歯車３５ａと第２二番中間かな３５ｂとを有し、地板５１と輪列受５２とにより回転可能に支持されている。第２二番中間歯車３５ａは、第１二番中間車３４の第１二番中間かな３４ｂに噛み合っている。
【００４８】
二番車３６は、中心パイプ５５内に軸方向の表側から回転可能に挿通されている。つまり、二番車３６は、回転軸線Ｏと同軸に配置されている。二番車３６の表側の端部は、二番受５４に支持されている。二番車３６は、第２二番中間車３５の第２二番中間かな３５ｂに噛み合う二番歯車３６ａを有する。二番車３６は、二番受５４と二番歯車３６ａとの間に配置された第２針座５７により、地板５１側に向かって付勢され、中心パイプ５５の表側開口端に接触している。二番車３６の裏側の端部は、筒車押さえ５３から裏側へ突出している。つまり、二番車３６は、第２回転軸８６である。二番車３６の裏側の端部には、分針１３が取り付けられる（図２参照）。
【００４９】
図３に示すように、秒針駆動機構８３は、秒針１４（図２参照）を回転させる。秒針駆動機構８３は、秒針１４が取り付けられる第３回転軸８７（図２参照）と、第３回転軸８７を駆動する第３モータ４０Ｃと、第３モータ４０Ｃの回転駆動力を第３回転軸８７に減速して伝達する秒輪列３０Ｃと、を備える。
【００５０】
第３モータ４０Ｃは、第１モータ４０Ａと同じ構成を有する。第３モータ４０Ｃは、回転軸線Ｏ回りの周方向において第２モータ４０Ｂに並んで配置されている。第３モータ４０Ｃは、第２モータ４０Ｂに対し、表側から見て回転軸線Ｏ回りの反時計方向に略９０°ずれた位置に配置されている。つまり、第３モータ４０Ｃは、回転軸線Ｏを挟んで第１モータ４０Ａとは反対側に配置されている。
【００５１】
図６は、実施形態の機構モジュールの断面図である。
図３および図６に示すように、秒輪列３０Ｃは、六番車３７と、五番車３８と、四番車３９と、を有する。六番車３７は、六番歯車３７ａと六番かな３７ｂとを有し、地板５１と輪列受５２とにより回転可能に支持されている。六番歯車３７ａは、第３モータ４０Ｃのロータ４５のかな４５ａに噛み合っている。五番車３８は、五番歯車３８ａと五番かな３８ｂとを有し、地板５１と輪列受５２とにより回転可能に支持されている。五番歯車３８ａは、六番車３７の六番かな３７ｂに噛み合っている。
【００５２】
四番車３９は、二番車３６の内側に軸方向の表側から回転可能に挿通されている。つまり、四番車３９は、回転軸線Ｏと同軸に配置されている。四番車３９は、車軸３９ａと、車軸３９ａに固定された四番歯車３９ｂと、を有する。車軸３９ａは、地板５１に回転可能に支持されている。車軸３９ａの表側の端部は、輪列受５２に設けられたブッシュ５２ａに軸支されている。車軸３９ａの裏側の端部は、地板５１から裏側へ突出している。つまり、車軸３９ａは、第３回転軸８７である。車軸３９ａの裏側の端部には、秒針１４が取り付けられる（図２参照）。四番歯車３９ｂは、五番車３８の五番かな３８ｂに噛み合っている。四番車３９は、輪列受５２と四番歯車３９ｂとの間に配置された第３針座５８により、地板５１側に向かって付勢されている。
【００５３】
時輪列３０Ａ、分輪列３０Ｂおよび秒輪列３０Ｃそれぞれの減速比について詳述する。なお、輪列の減速比は、モータのロータが１ステップ回転した際の、ロータの回転角度に対する針の回転角度の割合である。例えば、輪列の減速比が１／Ａの場合、ロータが１ステップで１８０°回転すると、針は（１８０／Ａ）°回転する。
【００５４】
時輪列３０Ａ、分輪列３０Ｂおよび秒輪列３０Ｃのうち、減速比が最も大きい輪列の減速比を１／Ｘとし、減速比が最も小さい輪列の減速比を１／Ｙとしたとき、ＹはＸの２／３以上である。また、時輪列３０Ａ、分輪列３０Ｂおよび秒輪列３０Ｃのうち、減速比が最も大きい輪列の減速比は、１／９０以下であることが望ましい。また、時輪列３０Ａ、分輪列３０Ｂおよび秒輪列３０Ｃのうち、減速比が最も小さい輪列の減速比は、１／１８０以上であることが望ましい。さらに、時輪列３０Ａ、分輪列３０Ｂおよび秒輪列３０Ｃの減速比は、いずれも３０の倍数の逆数であることが望ましい。さらに、時輪列３０Ａ、分輪列３０Ｂおよび秒輪列３０Ｃの減速比は、同じであることが望ましい。
【００５５】
例えば、時輪列３０Ａの減速比、分輪列３０Ｂの減速比、および秒輪列３０Ｃの減速比は、それぞれ１／１８０、１／１５０または１／１２０に設定される。また、例えば、時輪列３０Ａの減速比、分輪列３０Ｂの減速比、および秒輪列３０Ｃの減速比は、それぞれ１／１２０または１／９０に設定される。
【００５６】
（回路ブロック）
図２に示すように、回路ブロック２３は、プリント基板である基板本体７１に、図示しないＩＣや水晶ユニット等が実装されたものである。基板本体７１は、軸方向から見て機構モジュール２１よりも大きい円形状に形成されている。基板本体７１における機構モジュール２１と対向する面には、プリント配線からなる端子が形成されている。端子には、中継基板２４の表面における一対の中継配線２４ａ（図３参照）が接触する。これにより、回路ブロック２３は、中継基板２４を介して、各モータ４０Ａ，４０Ｂ，４０Ｃ（図３参照）に電気的に接続される。
【００５７】
図１および図２に示すように、回路ブロック２３は、時針１２によって現在時刻の時を指示するように、第１モータ４０Ａを制御する。回路ブロック２３は、分針１３によって現在時刻の分を指示するように、第２モータ４０Ｂを制御する。回路ブロック２３は、秒針１４によって現在時刻の秒を指示するように、第３モータ４０Ｃを制御する。時輪列３０Ａの減速比を３０の倍数の逆数とすることで、時針１２の先端は、文字板１１の目盛り１５に対してずれず、時の最小単位を精度よく指示できる。分輪列３０Ｂの減速比を３０の倍数の逆数とすることで、分針１３の先端は、文字板１１の目盛り１５に対してずれず、分の最小単位を精度よく指示できる。秒輪列３０Ｃの減速比を３０の倍数の逆数とすることで、秒針１４の先端は、文字板１１の目盛り１５に対してずれず、秒の最小単位を精度よく指示できる。
【００５８】
（モジュール枠）
図２に示すように、モジュール枠２５は、例えば樹脂材料等により、回路ブロック２３と略同径の円盤状に形成されている。モジュール枠２５には、モジュール配置孔２５ａが形成されている。モジュール配置孔２５ａは、モジュール枠２５の中央部において軸方向に貫通している。モジュール配置孔２５ａは、軸方向から見て機構モジュール２１に対応する形状に形成されている。モジュール配置孔２５ａには、機構モジュール２１が配置される。機構モジュール２１は、複数のネジ２６により回路ブロック２３に固定された状態で、モジュール枠２５に取り付けられる。モジュール枠２５の表側には、文字板１１が配置される（図２参照）。
【００５９】
以上に説明したように、本実施形態の機構モジュール２１では、時輪列３０Ａ、分輪列３０Ｂおよび秒輪列３０Ｃのうち、減速比が最も大きい輪列の減速比を１／Ｘとし、減速比が最も小さい輪列の減速比を１／Ｙとしたとき、ＹはＸの２／３以上である。この構成によれば、本発明者らの鋭意検討の結果、時輪列３０Ａに繋がる第１モータ４０Ａ、分輪列３０Ｂに繋がる第２モータ４０Ｂ、および秒輪列３０Ｃに繋がる第３モータ４０Ｃを全て同じ駆動パルスによって駆動することができることがわかった。これにより、機構モジュール２１に組み合わせて用いられる回路ブロック２３を設計する際の負荷を軽減することができる。
【００６０】
また、時輪列３０Ａ、分輪列３０Ｂおよび秒輪列３０Ｃのうち減速比が最も大きい輪列の減速比を１／９０以下とすることで、時針駆動機構８１、分針駆動機構８２および秒針駆動機構８３の全てにおいて、モータが１ステップで１８０°回転する際、針または表示車の回転角度が２°以下になる。これにより、従来技術の指針駆動機構のようにモータが１ステップ回転すると秒針が６°回転する場合と比較して、モータが１ステップ回転した際の針または表示車の回転角度を小さくすることができる。このため、後述する実施形態の各変形例のように、第１回転軸８５、第２回転軸８６および第３回転軸８７のいずれに取り付けられる針または表示車によっても、従来技術の秒針よりも精度よく、様々な情報を指示させることが可能となる。
【００６１】
また、従来技術の指針駆動機構のようにモータが１ステップ回転すると秒針が６°回転する場合と比較して、回転軸のトルクが大きくなる。このため、後述する実施形態の各変形例のように、第１回転軸８５、第２回転軸８６および第３回転軸８７のいずれにも、従来技術の秒針よりも慣性モーメントが大きい針または表示車を取り付けることができる。したがって、汎用性の高い機構モジュール２１を提供できる。
【００６２】
また、時輪列３０Ａ、分輪列３０Ｂおよび秒輪列３０Ｃのうち減速比が最も小さい輪列の減速比を１／１８０以上とすることで、時針駆動機構８１、分針駆動機構８２および秒針駆動機構８３の全てにおいて、モータ４０Ａ，４０Ｂ，４０Ｃが１ステップで１８０°回転する際、時針１２、分針１３および秒針１４の回転角度が１°以上となる。これにより、時針１２、分針１３および秒針１４を所定の角度回転させる際に要するステップ数が増大することを抑制できる。したがって、電池の消耗を抑制できる機構モジュール２１を提供できる。
【００６３】
また、時輪列３０Ａ、分輪列３０Ｂおよび秒輪列３０Ｃの減速比を３０の倍数の逆数とすることで、時針駆動機構８１、分針駆動機構８２および秒針駆動機構８３の全てにおいて、モータ４０Ａ，４０Ｂ，４０Ｃが１ステップで１８０°回転する際、時針１２、分針１３および秒針１４の回転角度が（６の約数）°となる。これにより、時針駆動機構８１、分針駆動機構８２および秒針駆動機構８３の全てにおいて、回転軸８５，８６，８７に取り付けられる針または表示車は、時、分および秒の最小単位をずれることなく精度よく指示できる。したがって、実施形態のように、時針１２、分針１３および秒針１４を同時に取り付けることができ、かつ後述する実施形態の各変形例のように、時針１２、分針１３および秒針１４に代えて他の針または表示車を取り付けることができる汎用性の高い機構モジュール２１を提供できる。
【００６４】
また、時輪列３０Ａ、分輪列３０Ｂおよび秒輪列３０Ｃの減速比を同じとすることで、時針駆動機構８１の第１回転軸８５、分針駆動機構８２の第２回転軸８６、および秒針駆動機構８３の第３回転軸８７のいずれに取り付けられる針または表示車も、モータが１ステップ回転する際、同じ角度回転する。このため、第１回転軸８５、第２回転軸８６および第３回転軸８７のいずれに取り付けられる針または表示車も同様に動作させることが可能となるので、輪列の減速比が相違する場合と比較して、回転軸と針または表示車との組み合わせのバリエーションを増やすことができる。したがって、搭載先の時計のデザイン性を向上させることが可能な機構モジュール２１を提供できる。
【００６５】
また、第１回転軸８５、第２回転軸８６および第３回転軸８７のいずれに取り付けられる針または表示車も同様に動作させることが可能となるので、例えば時計の動作中に針または表示車が指示する情報を互いに入れ替える等の機能を実現することができる。したがって、表示する情報を切り替えることができる機能を有する時計に好適な機構モジュール２１とすることができる。
【００６６】
また、第１回転軸８５、第２回転軸８６および第３回転軸８７は、互いに同軸に配置されている。この構成によれば、実施形態のように、時針１２、分針１３および秒針１４が同軸に配置された時計１に用いることができる機構モジュール２１であって、かつ時針１２、分針１３および秒針１４に代えて他の針または表示車を取り付けることができる汎用性の高い機構モジュール２１とすることができる。
【００６７】
また、本実施形態のムーブメント１０および時計１は、上述した機構モジュール２１を備えるので、回路ブロック２３を設計する際の負荷が軽減され、低コスト化されたムーブメント１０および時計１とすることができる。
【００６８】
［実施形態の変形例］
次に、上記の機構モジュール２１が搭載される時計の各種変形例を示す。なお、以下では、上記実施形態の時計１と異なる構成について説明し、上記実施形態の時計１と同一または類似する構成については説明を省略する。
【００６９】
（第１変形例の時計）
図７は、実施形態の第１変形例の時計を模式的に示す平面図である。
図７に示すように、実施形態の第１変形例の時計１Ａは、現在時刻の時分に加えて、クロノグラフ機能によって計測時間の分または秒を同時に表示できる時計である。時計１Ａの文字板１１Ａの表示面には、中央表示領域１６Ａと、外周表示領域１７Ａと、が設けられている。中央表示領域１６Ａおよび外周表示領域１７Ａは、文字板１１Ａの表示面を径方向に２分割している。中央表示領域１６Ａは、回転軸線Ｏを中心とする円形状の領域である。中央表示領域１６Ａの外周部には、分または秒に対応する目盛り１８Ａが円周状に並んで設けられている。外周表示領域１７Ａは、中央表示領域１６Ａを囲う円環状の領域である。外周表示領域１７Ａの外周部（すなわち表示面の外周部）には、時分に対応する目盛り１９Ａが円周状に並んで設けられている。
【００７０】
図８は、実施形態の第１変形例の時計を模式的に示す斜視図である。
図７及び図８に示すように、機構モジュール２１の第１回転軸８５には、実施形態の時針１２に代えて機能針１２Ａが取り付けられている。機能針１２Ａは、軸方向から見て文字板１１Ａの中央表示領域１６Ａ内に先端が位置するように形成されている。機能針１２Ａの先端は、文字板１１Ａの中央表示領域１６Ａの目盛り１８Ａを指示する。機構モジュール２１の第２回転軸８６には、実施形態の分針１３に代えて時針１３Ａが取り付けられている。時針１３Ａは、軸方向から見て文字板１１Ａの中央表示領域１６Ａよりも径方向の外側に先端が位置するように形成されている。時針１３Ａの先端は、文字板１１Ａの外周表示領域１７Ａの目盛り１９Ａを指示する。機構モジュール２１の第３回転軸８７には、実施形態の秒針１４に代えて分針１４Ａが取り付けられている。分針１４Ａは、時針１３Ａよりも長く形成されている。分針１４Ａは、実施形態の秒針１４よりも慣性モーメントが大きい。機構モジュール２１は、秒輪列３０Ｃの減速比を１／９０以下とすることで、秒針１４よりも慣性モーメントの大きい分針１４Ａも、余裕を持って確実に回転させることができる。分針１４Ａの先端は、文字板１１Ａの外周表示領域１７Ａの目盛り１９Ａを指示する。
【００７１】
本変形例の時計１Ａにおいて、図示しない回路ブロックが機構モジュール２１に組み合わせられる。回路ブロックは、機能針１２Ａによってクロノグラフ機能による計測時間を指示するように、第１モータ４０Ａを制御する。なお、回路ブロックは、ユーザーの操作に基づいて、機能針１２Ａによって現在時刻の秒を指示するように、第１モータ４０Ａの制御を切り替え可能とされてもよい。回路ブロックは、時針１３Ａによって現在時刻の時を指示するように、第２モータ４０Ｂを制御する。回路ブロックは、分針１４Ａによって現在時刻の分を指示するように、第３モータ４０Ｃを制御する。
【００７２】
ここで、時輪列３０Ａの減速比を３０の倍数の逆数とすることで、機能針１２Ａの先端は、文字板１１Ａの中央表示領域１６Ａの目盛り１８Ａに対してずれず、計測時間の分または秒の最小単位を精度よく指示できる。分輪列３０Ｂの減速比を３０の倍数の逆数とすることで、時針１３Ａの先端は、文字板１１Ａの外周表示領域１７Ａの目盛り１９Ａに対してずれず、時の最小単位を精度よく指示できる。秒輪列３０Ｃの減速比を３０の倍数の逆数とすることで、分針１４Ａの先端は、文字板１１Ａの外周表示領域１７Ａの目盛り１９Ａに対してずれず、分の最小単位を精度よく指示できる。
【００７３】
（第２変形例の時計）
図９は、実施形態の第２変形例の時計を模式的に示す平面図である。
図９に示すように、実施形態の第２変形例の時計１Ｂは、第１変形例の時計１Ａと同様に、現在時刻の時分に加えて、クロノグラフ機能によって計測時間の分または秒を同時に表示できる時計である。時計１Ｂの文字板１１Ｂの表示面には、中央表示領域１６Ｂと、外周表示領域１７Ｂと、が設けられている。中央表示領域１６Ｂの外周部には、時分に対応する目盛り１８Ｂが円周状に並んで設けられている。外周表示領域１７Ｂの外周部には、分または秒に対応する目盛り１９Ｂが円周状に並んで設けられている。
【００７４】
図１０は、実施形態の第２変形例の時計を模式的に示す斜視図である。
図９および図１０に示すように、機構モジュール２１の第１回転軸８５には、実施形態の時針１２に代えて表示車１２Ｂが取り付けられている。表示車１２Ｂは、回転軸線Ｏを中心とする円板状の部材である。表示車１２Ｂは、文字板１１Ｂの表示面に沿って配置されている。表示車１２Ｂの外径は、文字板１１Ｂの中央表示領域１６Ｂの外径よりも大きく、文字板１１Ｂの外周表示領域１７Ｂの外径よりも小さい。表示車１２Ｂは、実施形態の時針１２よりも慣性モーメントが大きい。機構モジュール２１は、時輪列３０Ａの減速比を１／９０以下とすることで、時針１２よりも慣性モーメントの大きい表示車１２Ｂも、余裕を持って確実に回転させることができる。表示車１２Ｂは、透明な材料により形成され、文字板１１Ｂの表示面を視認可能としている。表示車１２Ｂには、針１２Ｂａが視認可能に形成されている。表示車１２Ｂの針１２Ｂａは、軸方向から見て文字板１１Ｂの外周表示領域１７Ｂ内に配置されている。表示車１２Ｂの針１２Ｂａの先端は、文字板１１Ｂの外周表示領域１７Ｂの目盛り１９Ｂを指示する。
【００７５】
機構モジュール２１の第２回転軸８６には、実施形態の分針１３に代えて時針１３Ｂが取り付けられている。時針１３Ｂは、軸方向から見て文字板１１Ｂの中央表示領域１６Ｂ内に配置されている。時針１３Ｂの先端は、文字板１１Ｂの中央表示領域１６Ｂの目盛り１８Ｂを指示する。機構モジュール２１の第３回転軸８７には、実施形態の秒針１４に代えて分針１４Ｂが取り付けられている。分針１４Ｂは、時針１３Ｂよりも長く形成されている。分針１４Ｂは、実施形態の秒針１４よりも慣性モーメントが大きい。機構モジュール２１は、秒輪列３０Ｃの減速比を１／９０以下とすることで、秒針１４よりも慣性モーメントの大きい分針１４Ｂも、余裕を持って確実に回転させることができる。分針１４Ｂは、軸方向から見て文字板１１Ｂの中央表示領域１６Ｂ内に配置されている。分針１４Ｂの先端は、文字板１１Ｂの中央表示領域１６Ｂの目盛り１８Ｂを指示する。
【００７６】
本変形例の時計１Ｂにおいて、図示しない回路ブロックが機構モジュール２１に組み合わせられる。回路ブロックは、表示車１２Ｂの針１２Ｂａによってクロノグラフ機能による計測時間を指示するように、第１モータ４０Ａを制御する。なお、回路ブロックは、ユーザーの操作に基づいて、表示車１２Ｂの針１２Ｂａによって現在時刻の秒を指示するように、第１モータ４０Ａの制御を切り替え可能とされてもよい。回路ブロックは、時針１３Ｂによって現在時刻の時を指示するように、第２モータ４０Ｂを制御する。回路ブロックは、分針１４Ｂによって現在時刻の分を指示するように、第３モータ４０Ｃを制御する。
【００７７】
ここで、時輪列３０Ａの減速比を３０の倍数の逆数とすることで、表示車１２Ｂの針１２Ｂａの先端は、文字板１１Ｂの外周表示領域１７Ｂの目盛り１９Ｂに対してずれず、計測時間の分または秒の最小単位を精度よく指示できる。分輪列３０Ｂの減速比を３０の倍数の逆数とすることで、時針１３Ｂの先端は、文字板１１Ｂの中央表示領域１６Ｂの目盛り１８Ｂに対してずれず、時の最小単位を精度よく指示できる。秒輪列３０Ｃの減速比を３０の倍数の逆数とすることで、分針１４Ｂの先端は、文字板１１Ｂの中央表示領域１６Ｂの目盛り１８Ｂに対してずれず、分の最小単位を精度よく指示できる。
【００７８】
（第３変形例の時計）
図１１は、実施形態の第３変形例の時計を模式的に示す平面図である。
図１１に示すように、実施形態の第３変形例の時計１Ｃは、図９および図１０に示す第２変形例の時計１Ｂにおける機構モジュール２１の第１回転軸８５に、表示車１２Ｂに代えて機能針１２Ｃを取り付けた構成を有する。機能針１２Ｃは、軸方向から見て文字板１１Ｂの中央表示領域１６Ｂよりも径方向の外側に先端が位置するように形成されている。機能針１２Ｃの先端は、文字板１１Ｂの外周表示領域１７Ｂの目盛り１９Ｂを指示する。回路ブロックは、機能針１２Ｃによってクロノグラフ機能による計測時間を指示するように、第１モータ４０Ａを制御する。時輪列３０Ａの減速比を３０の倍数の逆数とすることで、機能針１２Ｃの先端は、文字板１１Ｂの中央表示領域１６Ｂの目盛り１８Ｂに対してずれず、計測時間の分または秒の最小単位を精度よく指示できる。
【００７９】
（第４変形例の時計）
図１２は、実施形態の第４変形例の時計を模式的に示す平面図である。
図１２に示すように、実施形態の第４変形例の時計１Ｄは、現在時刻の時分に加えて、現在時刻の時を２４時間制で同時に表示できる時計である。時計１Ｄの文字板１１Ｄの表示面には、中央表示領域１６Ｄと、外周表示領域１７Ａと、が設けられている。中央表示領域１６Ｄの外周部には、２４時間制の時に対応する目盛り１８Ｄが円周状に並んで設けられている。外周表示領域１７Ａは、第１変形例の文字板１１Ａにおける外周表示領域１７Ａと同様である。機構モジュール２１の第３回転軸８７には、実施形態の秒針１４に代えて機能針１４Ｄを取り付けられている。機能針１４Ｄは、軸方向から見て文字板１１Ｄの中央表示領域１６Ｄ内に先端が位置するように形成されている。機能針１４Ｄの先端は、文字板１１Ｄの中央表示領域１６Ｄの目盛り１８Ｄを指示する。
【００８０】
本変形例の時計１Ｄにおいて、図示しない回路ブロックが機構モジュール２１に組み合わせられる。回路ブロックは、時針１２によって現在時刻の時を指示するように、第１モータ４０Ａを制御する。回路ブロックは、分針１３によって現在時刻の分を指示するように、第２モータ４０Ｂを制御する。回路ブロックは、例えば、予め設定されたタイムゾーンにおける現在時刻の時を機能針１４Ｄによって２４時間制で指示するように、第３モータ４０Ｃを制御する。秒輪列３０Ｃの減速比を３０の倍数の逆数とすることで、機能針１４Ｄの先端は、文字板１１Ｄの中央表示領域１６Ｄの目盛り１８Ｄに対してずれず、２４時間制の時の最小単位を精度よく指示できる。
【００８１】
（第５変形例の時計）
図１３は、実施形態の第５変形例の時計を模式的に示す平面図である。
図１３に示すように、実施形態の第５変形例の時計１Ｅは、第４変形例の時計１Ｄと同様に、現在時刻の時分に加えて、現在時刻の時を２４時間制で同時に表示できる時計である。時計１Ｅは、図９および図１０に示す第２変形例の時計１Ｂにおける文字板１１Ｂに代えて文字板１１Ｅを備えた構成を有する。文字板１１Ｅの表示面には、文字板１１Ｂの外周表示領域１７Ｂに代えて外周表示領域１７Ｅが設けられている。外周表示領域１７Ｅの外周部には、２４時間制の時に対応する目盛り１９Ｅが円周状に並んで設けられている。目盛り１９Ｅは、表示車１２Ｂの針１２Ｂａの先端によって指示される。回路ブロックは、予め設定されたタイムゾーンにおける現在時刻の時を表示車１２Ｂの針１２Ｂａによって２４時間制で指示するように、第１モータ４０Ａを制御する。時輪列３０Ａの減速比を３０の倍数の逆数とすることで、表示車１２Ｂの針１２Ｂａの先端は、文字板１１Ｅの外周表示領域１７Ｅの目盛り１９Ｅに対してずれず、２４時間制の時の最小単位を精度よく指示できる。
【００８２】
（第６変形例の時計）
図１４は、実施形態の第６変形例の時計を模式的に示す平面図である。
図１４に示すように、実施形態の第６変形例の時計１Ｆは、図１３に示す第５変形例の時計１Ｅにおける機構モジュール２１の第１回転軸８５に、表示車１２Ｂに代えて機能針１２Ｃを取り付けた構成を有する。機能針１２Ｃは、第３変形例の機能針１２Ｃと同様である。回路ブロックは、予め設定されたタイムゾーンにおける現在時刻の時を機能針１２Ｃによって２４時間制で指示するように、第１モータ４０Ａを制御する。
【００８３】
（第７変形例の時計）
図１５は、実施形態の第７変形例の時計を模式的に示す平面図である。
図１５に示すように、実施形態の第７変形例の時計１Ｇは、異なる３つの時刻を２４時間制で同時に表示できる時計である。時計１Ｇの文字板１１Ｇの表示面には、目盛り１５Ｇが文字板１１Ｇの外周に沿って円周状に並んで設けられている。
【００８４】
機構モジュール２１の第１回転軸８５には、実施形態の時針１２に代えて第１機能針１２Ｇが取り付けられている。第１機能針１２Ｇの先端は、文字板１１Ｇの目盛り１５Ｇを指示する。機構モジュール２１の第２回転軸８６には、実施形態の分針１３に代えて第２機能針１３Ｇが取り付けられている。第２機能針１３Ｇの先端は、文字板１１Ｇの目盛り１５Ｇを指示する。機構モジュール２１の第３回転軸８７には、実施形態の秒針１４に代えて第３機能針１４Ｇが取り付けられている。第３機能針１４Ｇの先端は、文字板１１Ｇの目盛り１５Ｇを指示する。第１機能針１２Ｇ、第２機能針１３Ｇおよび第３機能針１４Ｇは、軸方向から見て略同一形状に形成されている。第１機能針１２Ｇ、第２機能針１３Ｇおよび第３機能針１４Ｇは、実施形態の秒針１４よりも慣性モーメントが大きい。機構モジュール２１は、時輪列３０Ａ、分輪列３０Ｂおよび秒輪列３０Ｃの減速比を１／９０以下とすることで、秒針１４よりも慣性モーメントの大きい第１機能針１２Ｇ、第２機能針１３Ｇおよび第３機能針１４Ｇも、余裕を持って確実に回転させることができる。
【００８５】
本変形例の時計１Ｇにおいて、図示しない回路ブロックが機構モジュール２１に組み合わせられる。回路ブロックは、予め設定された第１のタイムゾーンにおける現在時刻の時を第１機能針１２Ｇによって２４時間制で指示するように、第１モータ４０Ａを制御する。回路ブロックは、予め設定された第２のタイムゾーンにおける現在時刻の時を第２機能針１３Ｇによって２４時間制で指示するように、第２モータ４０Ｂを制御する。回路ブロックは、予め設定された第３のタイムゾーンにおける現在時刻の時を第３機能針１４Ｇによって２４時間制で指示するように、第３モータ４０Ｃを制御する。各輪列３０Ａ，３０Ｂ，３０Ｃの減速比を３０の倍数の逆数とすることで、第１機能針１２Ｇ、第２機能針１３Ｇおよび第３機能針１４Ｇそれぞれの先端は、文字板１１Ｇの目盛り１５Ｇに対してずれず、２４時間制の時の最小単位を指示できる。
【００８６】
ここで、時輪列３０Ａ、分輪列３０Ｂおよび秒輪列３０Ｃの減速比を同じとすることで、第１機能針１２Ｇ、第２機能針１３Ｇおよび第３機能針１４Ｇも、モータが１ステップ回転する際、同じ角度回転する。このため、第１機能針１２Ｇ、第２機能針１３Ｇおよび第３機能針１４Ｇも同様に動作させることが可能となるので、例えば時計１Ｇの動作中に第１機能針１２Ｇ、第２機能針１３Ｇおよび第３機能針１４Ｇが指示する情報を互いに入れ替える等の機能も実現することができる。
【００８７】
（第８変形例の時計）
図１６は、実施形態の第８変形例の時計を模式的に示す平面図である。
図１６に示すように、実施形態の第８変形例の時計１Ｈは、現在時刻の時分に加えて、例えば活動量計の目標値に対する達成率等を同時に表示できる時計である。時計１Ｈは、図７および図８に示す第１変形例の時計１Ａにおける文字板１１Ａに代えて文字板１１Ｈを備えた構成を有する。文字板１１Ｈの表示面には、文字板１１Ａの中央表示領域１６Ａに代えて中央表示領域１６Ｈが設けられている。中央表示領域１６Ｈの外周部には、０から１００の数字を表す目盛り１８Ｈが円弧状に並んで設けられている。目盛り１８Ｈは、回転軸線Ｏ回りの０時から１０時に対応する３００°の角度範囲に設けられている。目盛り１８Ｈは、機能針１２Ａの先端によって指示される。回路ブロックは、機能針１２Ａによって、例えば活動量計の目標値に対する達成率等を指示するように、第１モータ４０Ａを制御する。時輪列３０Ａの減速比を６０の倍数の逆数とすることで、機能針１２Ａの先端は、活動量計の目標値に対する達成率を最小単位の１％刻みで指示できる。
【００８８】
（第９変形例の時計）
図１７は、実施形態の第９変形例の時計を模式的に示す平面図である。
図１７に示すように、実施形態の第９変形例の時計１Ｉは、第８変形例の時計１Ｈと同様に、現在時刻の時分に加えて、例えば活動量計の目標値に対する達成率等を同時に表示できる時計である。時計１Ｉは、図９および図１０に示す第２変形例の時計１Ｂにおける文字板１１Ｂに代えて文字板１１Ｉを備えた構成を有する。文字板１１Ｉの表示面には、文字板１１Ｂの外周表示領域１７Ｂに代えて外周表示領域１７Ｉが設けられている。外周表示領域１７Ｉの外周部には、０から１００の数字を表す目盛り１９Ｉが円弧状に並んで設けられている。目盛り１９Ｉは、回転軸線Ｏ回りの０時から１０時に対応する３００°の角度範囲に設けられている。目盛り１９Ｉは、表示車１２Ｂの針１２Ｂａの先端によって指示される。回路ブロックは、表示車１２Ｂの針１２Ｂａによって、例えば活動量計の目標値に対する達成率等を指示するように、第１モータ４０Ａを制御する。時輪列３０Ａの減速比を６０の倍数の逆数とすることで、表示車１２Ｂの針１２Ｂａの先端は、活動量計の目標値に対する達成率を最小単位の１％刻みで指示できる。
【００８９】
（第１０変形例の時計）
図１８は、実施形態の第１０変形例の時計を模式的に示す平面図である。
図１８に示すように、実施形態の第１０変形例の時計１Ｊは、図１７に示す第９変形例の時計１Ｉにおける機構モジュール２１の第１回転軸８５に、表示車１２Ｂに代えて機能針１２Ｃを取り付けた構成を有する。機能針１２Ｃは、第３変形例の機能針１２Ｃと同様である。回路ブロックは、機能針１２Ｃによって、例えば活動量計の目標値に対する達成率等を指示するように、第１モータ４０Ａを制御する。
【００９０】
（第１１変形例の時計）
図１９は、実施形態の第１１変形例の時計を模式的に示す平面図である。
図１９に示すように、実施形態の第１１変形例の時計１Ｋは、現在時刻の時に加えて、日付の日および曜日を同時に表示できる時計である。時計１Ｋの文字板１１Ｋの表示面には、中央表示領域１６Ｋと、外周表示領域１７Ｋと、が設けられている。中央表示領域１６Ｋの外周部には、曜日に対応する文字１８Ｋが略等角度間隔で円周状に並んで設けられている。外周表示領域１７Ｋの内周部には、日付の日に対応する１から３１の目盛り１９Ｋａが円弧状に並んで設けられている。目盛り１９Ｋａは、回転軸線Ｏ回りの略０時から略９時に対応する２７０°の角度範囲に設けられている。外周表示領域１７Ｋの外周部には、２４時間制の時に対応する目盛り１９Ｋｂが円周状に並んで設けられている。
【００９１】
図２０は、実施形態の第１１変形例の時計を模式的に示す斜視図である。
図１９および図２０に示すように、機構モジュール２１の第１回転軸８５には、実施形態の時針１２に代えて表示車１２Ｋが取り付けられている。表示車１２Ｋは、回転軸線Ｏを中心とする円板状の部材である。表示車１２Ｋは、文字板１１Ｋの表示面に沿って配置されている。表示車１２Ｋの外径は、文字板１１Ｋの中央表示領域１６Ｋの外径と略一致している。表示車１２Ｋは、実施形態の時針１２よりも慣性モーメントが大きい。機構モジュール２１は、時輪列３０Ａの減速比を１／９０以下とすることで、時針１２よりも慣性モーメントの大きい分針１４Ｂも、余裕を持って確実に回転させることができる。表示車１２Ｋは、外周部の一部を除いて不透明な材料により形成されている。表示車１２Ｋの外周部の一部には、文字板１１Ｋの中央表示領域１６Ｋの文字１８Ｋを視認可能とする可視部１２Ｋａが設けられている。可視部１２Ｋａは、例えば局所的に透明な材料により形成されている。可視部１２Ｋａは、文字１８Ｋのうち１つの曜日に対応する文字のみを視認可能とする。これにより、表示車１２Ｋの可視部１２Ｋａは、文字板１１Ｋの中央表示領域１６Ｋの文字１８Ｋを指示する。なお、可視部１２Ｋａは、切欠であってもよい。
【００９２】
機構モジュール２１の第２回転軸８６には、実施形態の分針１３に代えて第１機能針１３Ｋが取り付けられている。第１機能針１３Ｋは、軸方向から見て文字板１１Ｋの中央表示領域１６Ｋよりも径方向の外側に先端が位置するように形成されている。第１機能針１３Ｋの先端は、文字板１１Ｋの外周表示領域１７Ｋの目盛り１９Ｋｂを指示する。機構モジュール２１の第３回転軸８７には、実施形態の秒針１４に代えて第２機能針１４Ｋが取り付けられている。第２機能針１４Ｋは、第１機能針１３Ｋよりも短く形成されている。第２機能針１４Ｋは、実施形態の秒針１４よりも慣性モーメントが大きい。機構モジュール２１は、秒輪列３０Ｃの減速比を１／９０以下とすることで、秒針１４よりも慣性モーメントの大きい第２機能針１４Ｋも、余裕を持って確実に回転させることができる。第２機能針１４Ｋの先端は、文字板１１Ｋの外周表示領域１７Ｋの目盛り１９Ｋａを指示する。
【００９３】
本変形例の時計１Ｋにおいて、図示しない回路ブロックが機構モジュール２１に組み合わせられる。回路ブロックは、表示車１２Ｋによって曜日を表示するように、第１モータ４０Ａを制御する。回路ブロックは、第１機能針１３Ｋによって現在時刻の時を２４時間制で指示するように、第２モータ４０Ｂを制御する。回路ブロックは、第２機能針１４Ｋによって日付の日を指示するように、第３モータ４０Ｃを制御する。
【００９４】
（第１２変形例の時計）
図２１は、実施形態の第１２変形例の時計を模式的に示す平面図である。
図２１に示すように、実施形態の第１２変形例の時計１Ｌは、第１０変形例の時計１Ｊと同様に、現在時刻の時に加えて、日付の日および曜日を同時に表示できる時計である。時計１Ｌは、図１９および図２０に示す第１１変形例の時計１Ｋにおける機構モジュール２１の第１回転軸８５に、表示車１２Ｋに代えて第１機能針１２Ｌを取り付け、第２回転軸８６に、第１機能針１３Ｋに代えて第２機能針１３Ｌを取り付け、第３回転軸８７に、第２機能針１４Ｋに代えて第３機能針１４Ｌを取り付けた構成を有する。第１機能針１２Ｌは、軸方向から見て文字板１１Ｋの中央表示領域１６Ｋよりも径方向の外側に先端が位置するように形成されている。第１機能針１２Ｌの先端は、文字板１１Ｋの外周表示領域１７Ｋの目盛り１９Ｋｂを指示する。第２機能針１３Ｌは、軸方向から見て文字板１１Ｋの中央表示領域１６Ｋよりも径方向の外側に先端が位置するように形成されている。第２機能針１３Ｌの先端は、文字板１１Ｋの外周表示領域１７Ｋの目盛り１９Ｋａを指示する。第３機能針１４Ｌは、軸方向から見て文字板１１Ｋの中央表示領域１６Ｋ内に先端が位置するように形成されている。第３機能針１４Ｌは、実施形態の秒針１４よりも慣性モーメントが大きい。機構モジュール２１は、秒輪列３０Ｃの減速比を１／９０以下とすることで、秒針１４よりも慣性モーメントの大きい第３機能針１４Ｌも、余裕を持って確実に回転させることができる。第３機能針１４Ｌの先端は、文字板１１Ｋの中央表示領域１６Ｋの文字１８Ｋを指示する。
【００９５】
本変形例の時計１Ｌにおいて、図示しない回路ブロックが機構モジュール２１に組み合わせられる。回路ブロックは、第１機能針１２Ｌによって現在時刻の時を２４時間制で指示するように、第１モータ４０Ａを制御する。回路ブロックは、第２機能針１３Ｌによって日付の日を指示するように、第２モータ４０Ｂを制御する。回路ブロックは、第３機能針１４Ｌによって曜日を指示するように、第３モータ４０Ｃを制御する。
【００９６】
（第１３変形例の時計）
図２２は、実施形態の第１３変形例の時計を模式的に示す平面図である。
図２２に示すように、実施形態の第１３変形例の時計１Ｍは、現在時刻の時分に加えて、日付の日を同時に表示できる時計である。時計１Ｍは、図７および図８に示す第１変形例の時計１Ａにおける文字板１１Ａに代えて文字板１１Ｍを備えた構成を有する。文字板１１Ｍの表示面には、文字板１１Ａの中央表示領域１６Ａに代えて中央表示領域１６Ｍが設けられている。中央表示領域１６Ｍの外周部には、日付の日に対応する１から３１の目盛り１８Ｍが円弧状に並んで設けられている。目盛り１８Ｍは、回転軸線Ｏ回りの略０時から略９時に対応する２７０°の角度範囲に設けられている。目盛り１８Ｍは、機能針１２Ａの先端によって指示される。回路ブロックは、機能針１２Ａによって曜日を指示するように、第１モータ４０Ａを制御する。時輪列３０Ａの減速比を６０の倍数の逆数とすることで、機能針１２Ａの先端は、日付の日を最小単位の１日刻みで指示できる。
【００９７】
以上に説明したように、上記実施形態および各変形例によれば、時輪列３０Ａ、分輪列３０Ｂおよび秒輪列３０Ｃのうち、減速比が最も大きい輪列の減速比を１／Ｘとし、減速比が最も小さい輪列の減速比を１／Ｙとしたとき、ＹはＸの２／３以上である。これにより、機構モジュール２１に組み合わせて用いられる回路ブロックを設計する際の負荷を継電することができる。
【００９８】
さらに、上記実施形態および各変形例によれば、時輪列３０Ａ、分輪列３０Ｂおよび秒輪列３０Ｃのうち減速比が最も大きい輪列の減速比を１／９０以下とすることで、第１回転軸８５、第２回転軸８６および第３回転軸８７のいずれに取り付けられる針または表示車によっても、従来技術の秒針よりも精度よく、様々な情報を指示させることが可能となる。また、第１回転軸８５、第２回転軸８６および第３回転軸８７のいずれにも、従来技術の秒針よりも慣性モーメントが大きい針または表示車を取り付けることができる。したがって、汎用性の高い機構モジュール２１を提供できる。
【００９９】
さらに、上記実施形態および各変形例によれば、時輪列３０Ａ、分輪列３０Ｂおよび秒輪列３０Ｃの減速比を３０の倍数の逆数とすることで、時針駆動機構８１、分針駆動機構８２および秒針駆動機構８３の全てにおいて、モータ４０Ａ，４０Ｂ，４０Ｃが１ステップで１８０°回転する際、時針１２、分針１３および秒針１４の回転角度が（６の約数）°となる。これにより、時針１２、分針１３および秒針１４は、時、分および秒の最小単位をずれることなく指示できる。したがって、実施形態のように、時針１２、分針１３および秒針１４を同時に取り付けることができ、かつ各変形例のように、時針１２、分針１３および秒針１４に代えて他の針または表示車を取り付けることができる汎用性の高い機構モジュール２１を提供できる。
【０１００】
なお、本発明は、図面を参照して説明した上述の実施形態に限定されるものではなく、その技術的範囲において様々な変形例が考えられる。
例えば、上記実施形態では、機構モジュール２１が３つ指針駆動機構を備えているが、これに限定されず、例えば４つ以上の指針駆動機構を備えていてもよい。この場合であっても、全ての指針駆動機構の輪列が上述した減速比の条件を満たすことで、上記実施形態と同様の作用効果を奏する機構モジュールとすることができる。
【０１０１】
また、上記実施形態では、時輪列３０Ａ、分輪列３０Ｂおよび秒輪列３０Ｃの減速比が３０の倍数の逆数であることが望ましいとしたが、輪列の減速比は３０の倍数の逆数でなくてもよい。例えば、少なくとも１つの輪列の減速比を１４０や１００等に設定してもよい。
【０１０２】
その他、本発明の趣旨を逸脱しない範囲で、上記した実施の形態における構成要素を周知の構成要素に置き換えることは適宜可能であり、また、上述した各実施形態および各変形例を適宜組み合わせてもよい。
【符号の説明】
【０１０３】
１，１Ａ，１Ｂ，１Ｃ，１Ｄ，１Ｅ，１Ｆ，１Ｇ，１Ｈ，１Ｉ，１Ｊ，１Ｋ，１Ｌ，１Ｍ…時計  １０…ムーブメント（時計用ムーブメント）  １２，１３Ａ，１３Ｂ…時針（針）  １２Ａ，１２Ｃ，１２Ｄ，１４Ｄ…機能針（針）  １２Ｂ，１２Ｋ…表示車  １２Ｇ，１２Ｌ，１３Ｋ…第１機能針（針）  １３，１４Ａ，１４Ｂ…分針（針）  １３Ｇ，１３Ｌ，１４Ｋ…第２機能針（針）  １４…秒針（針）  １４Ｇ，１４Ｌ…第３機能針（針）  ２１…機構モジュール  ２３…回路ブロック  ３０Ａ…時輪列（輪列）  ３０Ｂ…分輪列（輪列）  ３０Ｃ…秒輪列（輪列）  ４０Ａ…第１モータ（モータ）  ４０Ｂ…第２モータ（モータ）  ４０Ｃ…第３モータ（モータ）  ５１…地板（支持部材）  ５２…輪列受（支持部材）  ８１…時針駆動機構（指針駆動機構）  ８２…分針駆動機構（指針駆動機構）  ８３…秒針駆動機構（指針駆動機構）  ８５…第１回転軸（回転軸）  ８６…第２回転軸（回転軸）  ８７…第３回転軸（回転軸）
【図１】
2020016496.tif 000003
【図２】
2020016496.tif 000004
【図３】
2020016496.tif 000005
【図４】
2020016496.tif 000006
【図５】
2020016496.tif 000007
【図６】
2020016496.tif 000008
【図７】
2020016496.tif 000009
【図８】
2020016496.tif 000010
【図９】
2020016496.tif 000011
【図１０】
2020016496.tif 000012
【図１１】
2020016496.tif 000013
【図１２】
2020016496.tif 000014
【図１３】
2020016496.tif 000015
【図１４】
2020016496.tif 000016
【図１５】
2020016496.tif 000017
【図１６】
2020016496.tif 000018
【図１７】
2020016496.tif 000019
【図１８】
2020016496.tif 000020
【図１９】
2020016496.tif 000021
【図２０】
2020016496.tif 000022
【図２１】
2020016496.tif 000023
【図２２】
2020016496.tif 000024